(57)【要約】【課題】  筺体の外観に表れる部材の色によって制約をうけてしまうリモートコントローラにおいて、この制約を解消することでより高い意匠性を有するリモートコントローラを得る。【解決手段】  遠隔に設置した機器に赤外線による動作指示信号を送信する送信部が外観に露出しないように遮蔽する保護カバーを有するリモートコントローラであって、上記保護カバーがパンチングメタルによって形成されていることを特徴とするリモートコントローラによる。【選択図】図１
0003145641.tif 000002
【実用新案登録請求の範囲】
【請求項１】
遠隔に設置した機器に赤外線による動作指示信号を送信する送信部が外観に露出しないように遮蔽する保護カバーを有するリモートコントローラであって、
上記保護カバーがパンチングメタルによって形成されていることを特徴とするリモートコントローラ。
【請求項２】
上記リモートコントローラは、
筺体の外形が略長方形であって、
上記保護カバーは、上記リモートコントローラの長さ方向端部に組み付けられていることを特徴とする請求項１記載のリモートコントローラ。
【請求項３】
上記リモートコントローラの筺体は、
操作ボタンを備えた上面カバー、底面を構成するベース部材、上面カバーとベース素材の間に回路基板を内部に保持するボディー部材からなり、
上記ボディー部材の外周寸法は、上記上面カバーの外周寸法と上記ベース部材の外周寸法よりも小さいことを特徴とする請求項１、２に記載のリモートコントローラ。
【考案の詳細な説明】
【技術分野】
【０００１】
本考案は、外観に表れる部材に多様な素材を用いることができ、部材色による制約を受けずに意匠性を高めることができるリモートコントローラに関するものである。
【背景技術】
【０００２】
テレビなどの電子機器に、遠隔から操作信号（動作指示信号）を送信することができるリモートコントローラは、操作信号の送信部に赤外線送信機を用いることが多い。送信部はリモートコントローラ筺体の内部に設置され、送信部が設置されている側の筺体には、送信部が外部に露出しないように保護カバーを設けられる。従って、この保護カバーには、赤外線波長域を透過させる素材を用いる必要がある。この赤外線波長域を透過する素材には、樹脂素材が多く用いられる。樹脂素材は、濃厚な赤、濃厚な緑など、ほとんど黒色に近い色である。従って、この保護カバーが設けられる部分は、外観に表れる色はほとんど黒色などの濃い色になる、リモートコントローラの筺体の意匠において、必ず黒色などの濃い色の部分が含まれることになる。つまり、リモートコントローラのデザインは、使用可能な色に制約があるため全体の意匠性を高める工夫には限界があり、保護カバーの素材が全体の意匠性を高くすることの障害となっていた。
【０００３】
上記のようなデザイン上の制約は、リモートコントローラから送信された信号を受信して動作する機器においても同様である。信号の受信部を備える機器において、外部に受信部が露出しないように保護カバーを設ける必要があり、この保護カバーは上記と同様の赤外線透過素材を用いることになる。従って、機器の筺体の一部には必ず黒色などの濃い色の部分が生じ、筺体の意匠において使用できる色の制約が生じていた。このような課題を解消とするために、保護カバーを含む前面パネルを交換可能に構成し、デザインの制約を解消する機器が知られている（例えば、特許文献１参照）。
【特許文献１】特開２００７−２９９０６１号公報
【０００４】
しかし、上記特許文献１に記載されている機器は、ＤＶＤプレーヤのようなリモートコントローラの操作対象となる電子機器に関するものであって、リモートコントローラそのものに関するものではない。特許文献１に記載されている課題のように、保護カバーを含む筺体の意匠性を高めることに着目し、課題を解消しているリモートコントローラは未だ知られていない。
【考案の開示】
【考案が解決しようとする課題】
【０００５】
そこで、本考案は上記課題を鑑みてなされたものであって、リモートコントローラの外観に表れる部材に多様な色の素材を用いることができ、部材色による制約を解消して意匠性を高めることができるリモートコントローラを提供することを目的とする。
【課題を解決するための手段】
【０００６】
本考案は、遠隔に設置した機器に赤外線による動作指示信号を送信する送信部が外観に露出しないように遮蔽する保護カバーを有するリモートコントローラであって、上記保護カバーがパンチングメタルによって形成されていることを特徴とする。
【０００７】
また、本考案は、上記リモートコントローラにおいて、筺体の外形が略長方形であって、上記保護カバーは、上記リモートコントローラの長さ方向端部に組み付けられていることを特徴とする。
【０００８】
また、本考案は、上記リモートコントローラの筺体が、操作ボタンを備えた上面カバー、底面を構成するベース部材、上面カバーとベース素材の間に回路基板を内部に保持するボディー部材からなり、上記ボディー部材の外周寸法は、上記上面カバーの外周寸法と上記ベース部材の外周寸法よりも小さいことを特徴とする。
【考案の効果】
【０００９】
本考案によれば、送信部の保護カバーに黒っぽく見える素材以外の素材を用いることができるので、リモートコントローラ全体のデザイン性を向上させて、従来のリモートコントローラとデザイン上の差別化を図ることができる。
【考案を実施するための最良の形態】
【００１０】
以下、本考案にかかるリモートコントローラの実施形態の例について図面を参照しながら説明する。図１は本考案にかかるリモートコントローラの外観の例を示す斜視図であって、符号１０はリモートコントローラ本体を示す。リモートコントローラ１０は、外観が長方形状であって、長さ方向の端部に保護カバー４を有している。また、リモートコントローラ１０は、操作ボタンなどを配置した上面カバー１と、底面を構成するベース２と、上面カバー１とベース２の間に図示しない回路基板などを内部に備えるボディー３を有している。
【００１１】
上面カバー１に配置されたボタンを利用者が押下等の操作をすることで、所定の操作信号を送信することができる。また、図１には示さないが、ボディー３には、保護カバー４と反対側の端部に動作電源となる電池を収納する収納部が設けられている。この電池の収納部は、ボディー３の一部を可動することができる蓋によって保護されており、この蓋を外すことで、電池交換が可能となる構造を有している。上面カバー１、ベース２、ボディー３の素材には、さまざまな色の樹脂やプラスチックのほかに金属を用いることもできる。
【００１２】
図２に、リモートコントローラ１０の上面カバー１を外した分解斜視図を示す。図２に示すように、ベース２の長さはボディー３の長さより少し長く、ベース２の幅はボディー３の幅よりも少し広くなっている。すなわち、ボディー３は、ベース２の厚さ方向の窪みに嵌って固定され、ネジなどの締結部材３１によってベース２に固着されている。上面カバー１もベース２とほぼ同じ外形寸法を有しているので（図１を参照）、ボディー３は上面カバー１とベース２の端面から少し窪んだ状態で固着される。よって、利用者がリモートコントローラ１０の外側面に指をかけて持ち上げるとき、この窪みに指が引っかかりやすく持ち上げやすい構造になっている。
【００１３】
図３に保護カバー４の拡大図を示す。図３に示すように、保護カバー４は素材にパンチングメタルを用いることで、従来のような樹脂による保護カバーによらず、送信部が外観に露出することがないように保護することができる。保護カバー４に用いるパンチングメタルについて、図４を用いて説明する。図４（ａ）に示すようにパンチングメタル４１は、金属の薄板に所定の直径Ｄを有する孔を所定の間隔Ｐをもって複数形成したものである。ここで、間隔Ｐは例えば１．５ｍｍであって、直径Ｄは１ｍｍである。また、開孔率は略４０％である。この複数の孔によって送信部が発する赤外線信号を透過させることができ、赤外線を透過しない金属素材であっても、保護カバー４に用いることができる。
【００１４】
上記のパンチングメタルは加工されて保護カバー４となる。図４（ｂ）に示すように、薄板の金属からなるパンチングメタル４１を所定の長さ位置で同じ方向に略直角に折り曲げて、さらに長さ方向の両端部を互いに対向する方向に略直角に折り曲げて、外形が略コの字となるように加工をされた保護カバー４になる。
【００１５】
次に、図５において上記の保護カバー４を設置する端部の拡大図を示し、保護カバー４の嵌合方法について説明をする。図５（ａ）は、保護カバー４の設置部分における上面カバー１をはずした状態の分解拡大斜視図であって、図５（ｂ）は保護カバー４を嵌合した状態の分解拡大斜視図である。図５（ａ）において、ボディー３の長さ方向側面部には、保護カバー４の折り曲げられた両端部が嵌挿するスリット３ａが設けられている。またボディー３の長さ方向端部には、保護カバー４に対して長さ方向の強度を与えるストッパ３ｂが、保護カバー４の厚みの分だけベース２の内端面から奥まった位置に設けられている。図４（ｂ）に示したように加工された保護カバー４の端部は、図４（ｂ）に示すようにスリット３ａに嵌挿し、ベース２とボディー３の隙間に保護カバー４全体を嵌めこむことで固定することができる。このように、リモートコントローラ１０の端部において送信部が外観に露出しないように保護カバー４を固定することができる。
【００１６】
本考案に係るリモートコントローラ１０によれば、薄い金属であるパンチングメタルと保護カバー４として用いることができるので、例えば、パンチングメタルに着色することでリモートコントローラ１の端部の配色を自由に選択することができるようになる。
【００１７】
以上のように、リモートコントローラ１０の送信部が外部に露出することを防止する保護カバー４において、赤外線透過素材である樹脂ではなく、任意の色に着色することができるパンチングメタル４１を用いることで、リモートコントローラ１の全体のデザインにおける使用色の制約を解消することができ、意匠性を高めたリモートコントローラを得ることができる。
【図面の簡単な説明】
【００１８】
【図１】本考案にかかるリモートコントローラの実施例を示す斜視図である。
【図２】上記リモートコントローラの上面カバーを取り外した実施例を示す分解斜視図である。
【図３】上記リモートコントローラの保護カバー部分の拡大斜視図である。
【図４】上記保護カバーに用いる素材の例を示す拡大図、加工図である。
【図５】上記リモートコントローラにおける保護カバー取り付け部分の拡大図である。
【符号の説明】
【００１９】
１    上面カバー
２    ベース
３    ボディー
３ａ  スリット
３ｂ  ストッパ
４    保護カバー
４１  パンチングメタル
【図１】
0003145641.tif 000003
【図２】
0003145641.tif 000004
【図３】
0003145641.tif 000005
【図４】
0003145641.tif 000006
【図５】
0003145641.tif 000007